(57)【要約】本発明は、第１及び第２のセルロース系ポリマーと、セルラーゼと、を含む、液体洗濯洗剤組成物を開示する。【特許請求の範囲】
【請求項１】
液体洗濯洗剤組成物であって、
ａ．前記液体洗濯洗剤組成物の０．０００１重量％〜０．１重量％のセルラーゼと、
ｂ．前記液体洗濯洗剤組成物の０．０５重量％〜３重量％の第１のセルロース系ポリマーであって、カチオン変性セルロース系ポリマーである、第１のセルロース系ポリマーと、
ｃ．前記液体洗濯洗剤組成物の０．０５重量％〜３重量％の第２のセルロース系ポリマーであって、カルボキシメチルセルロース、疎水変性カルボキシメチルセルロース、又はこれらの混合物である、第２のセルロース系ポリマーと、を含む、液体洗濯洗剤組成物。
【請求項２】
前記第１のセルロース系ポリマーが、カチオン変性ヒドロキシエチルセルロース、カチオン変性ヒドロキシプロピルセルロース、カチオン及び疎水変性ヒドロキシエチルセルロース、カチオン及び疎水変性ヒドロキシプロピルセルロース、又はこれらの混合物、より好ましくはカチオン変性ヒドロキシエチルセルロース、カチオン及び疎水変性ヒドロキシエチルセルロース、又はこれらの混合物から選択される、請求項１に記載の液体洗濯洗剤組成物。
【請求項３】
前記第１のセルロース系ポリマーが、前記ポリマーに結合している１つ以上の疎水性基を含み、前記１つ以上の疎水性基が、Ｃ１〜Ｃ３２、好ましくはＣ５〜Ｃ３２アルキル、Ｃ１〜Ｃ３２、好ましくはＣ５〜Ｃ３２置換アルキル、Ｃ５〜Ｃ３２アルキルアリール、又はＣ５〜Ｃ３２置換アルキルアリール、（ポリ）アルコキシＣ１〜Ｃ３２、好ましくはＣ５〜Ｃ３２アルキル、又は（ポリ）アルコキシ置換Ｃ１〜Ｃ３２、好ましくはＣ５〜Ｃ３２アルキル、又はこれらの混合物から独立して選択され得る、請求項２に記載の液体洗濯洗剤組成物。
【請求項４】
前記第２のセルロース系ポリマーが、ＤＳ＋ＤＢが少なくとも１．００及び／又はＤＢ＋２ＤＳ−ＤＳ２が少なくとも１．２０のいずれかであるように、０．０１〜０．９９の置換度（ＤＳ）と、ブロック度（ＤＢ）と、を有する、疎水変性カルボキシメチルセルロースである、請求項１〜３のいずれか一項に記載の液体洗濯洗剤組成物。
【請求項５】
前記液体洗濯洗剤組成物の０．１重量％〜２重量％、好ましくは０．２重量％〜１重量％、より好ましくは０．２５重量％〜０．７５重量％の、前記第１のセルロース系ポリマーを含む、請求項１〜４のいずれか一項に記載の液体洗濯洗剤組成物。
【請求項６】
前記液体洗濯洗剤組成物の０．１重量％〜２重量％、好ましくは０．２５重量％〜１．５重量％、より好ましくは０．５重量％〜１．２５重量％の、前記第２のセルロース系ポリマーを含む、請求項１〜５のいずれか一項に記載の液体洗濯洗剤組成物。
【請求項７】
前記液体洗濯洗剤組成物の０．０００２重量％〜０．０５重量％、好ましくは０．０００３重量％〜０．０１重量％、より好ましくは０．０００５重量％〜０．００１重量％の、前記セルラーゼを含む、請求項１〜６のいずれか一項に記載の液体洗濯洗剤組成物。
【請求項８】
前記セルラーゼが、エンド−ベータ−１，４−グルカナーゼ活性を呈する、真菌若しくは微生物由来のエンドグルカナーゼ、又はこれらの混合物を含む含む、液体洗濯洗剤組成物。
【請求項９】
非石鹸アニオン性界面活性剤を含み、好ましくは、線状アルキルベンゼンスルホネート、アルキルサルフェート、アルコキシル化アルキルサルフェート、又はこれらの混合物から選択された非石鹸アニオン性界面活性剤を含み、好ましくは前記非石鹸界面活性剤が、アミンで中和されている、好ましくは、モノエタノールアミン、ジエタノールアミン、トリエタノールアミン、又はこれらの混合物から選択されたアミン、より好ましくはモノエタノールアミンで中和されている、請求項１〜８のいずれか一項に記載の液体洗濯洗剤組成物。
【請求項１０】
ａ．前記液体洗濯洗剤組成物の５重量％〜３０重量％、好ましくは６重量％〜２５重量％、より好ましくは６．５重量％〜２０重量％、最も好ましくは６．５重量％〜１５重量％の、前記アミンで中和されたＣ１２〜１４線状アルキルベンゼンスルホネートであって、好ましくは、前記アミンが、アルカノールアミン、より好ましくは、モノエタノールアミン、ジエタノールアミン、トリエタノールアミン、若しくはこれらの混合物から選択され、更により好ましくはモノエタノールアミンである、Ｃ１２〜１４線状アルキルベンゼンスルホネート、又は、
ｂ．前記液体洗濯洗剤組成物の５重量％〜３５重量％、好ましくは６重量％〜３０重量％、より好ましくは８重量％〜２５重量％、更により好ましくは１０重量％〜２５重量％、最も好ましくは１２重量％〜２５重量％の、アミンで中和されたＣ１２〜１４線状アルキルベンゼンスルホネートであって、好ましくは、前記アミンが、アルカノールアミン、より好ましくは、モノエタノールアミン、ジエタノールアミン、トリエタノールアミン、若しくはこれらの混合物から選択され、更により好ましくはモノエタノールアミンである、Ｃ１２〜１４線状アルキルベンゼンスルホネート、を含む、請求項９に記載の液体洗剤組成物。
【請求項１１】
非イオン性界面活性剤を含み、好ましくは、前記非イオン性界面活性剤が、脂肪族アルコールアルコキシレート、オキソ合成脂肪族アルコールアルコキシレート、ゲルベアルコールアルコキシレート、アルキルフェノールアルコールアルコキシレート、又はこれらの混合物から選択され、好ましくは、前記液体洗濯洗剤組成物が、前記液体洗濯洗剤組成物の１重量％〜２５重量％、好ましくは１．５重量％〜２０重量％、最も好ましくは２重量％〜１５重量％の前記非イオン性界面活性剤を含む、請求項１〜１０のいずれか一項に記載の液体洗濯洗剤組成物。
【請求項１２】
前記液体洗剤組成物の、１．５重量％〜２０重量％、より好ましくは２重量％〜１５重量％、更により好ましくは３重量％〜１０重量％、最も好ましくは４重量％〜８重量％の、石鹸、好ましくは脂肪酸塩、より好ましくはアミンで中和された脂肪酸塩を含み、好ましくは、前記アミンが、アルカノールアミン、より好ましくは、モノエタノールアミン、ジエタノールアミン、トリエタノールアミン、又はこれらの混合物から選択され、より好ましくはモノエタノールアミンである、請求項１〜１１のいずれか一項に記載の液体洗濯洗剤組成物。
【請求項１３】
水溶性フィルムと、請求項１〜１２のいずれか一項に記載の液体洗濯洗剤組成物と、を含む、水溶性単位用量物品であって、好ましくは、前記水溶性単位用量物品が、少なくとも２つの区画を含む、水溶性単位用量物品。
【請求項１４】
第１の区画が、第１のセルロース系ポリマー及び第２のセルロース系ポリマーを含み、第２の区画が、セルラーゼを含む、請求項１３に記載の水溶性単位用量物品。
【請求項１５】
洗浄方法であって、請求項１〜１４のいずれか一項に記載の前記液体洗濯洗剤組成物又は水溶性単位用量物品を、十分な水に添加して、前記液体洗濯洗剤組成物を少なくとも３００倍に希釈して、洗浄液を作り、洗濯される布地を前記洗浄液に接触させるステップを含む、洗浄方法。
【発明の詳細な説明】
【技術分野】
【０００１】
本発明は、第１及び第２のセルロース系ポリマー及びセルラーゼ、当該組成物を含む水溶性単位用量物品を含む液体洗濯洗剤組成物、当該組成物の使用方法、並びに当該組成物の作製方法を開示する。
【背景技術】
【０００２】
液体洗濯洗剤組成物には、セルラーゼが配合されている。これによって、「毛羽立ち除去」の利益が提供される。これは、布地からの繊維が着用中等、経時的に緩くなり、布地表面から突出し始めるものである。経時的に、これらの繊維は、「毛羽立ち」と称される小さい球状の束へと形成される。これを、消費者は不体裁であるとみなす。
【０００３】
セルラーゼは、毛羽立ちが形成される前にこれらの突出した繊維を除去することによって、布地の全体的な外観を改善する。
【０００４】
しかしながら、毛羽立ち除去の利益を改善する必要がある。セルラーゼレベルを増加させることは、原材料費が追加され、セルラーゼが他の洗濯洗剤成分と負に相互作用する場合もあるので、好ましくない。更に、セルラーゼのレベルが布地それ自体に負に影響するほど高いレベルであってはならない。
【発明の概要】
【発明が解決しようとする課題】
【０００５】
セルラーゼと、本発明に従った第１のセルロース系ポリマー及び本発明に従った第２のセルロース系ポリマーとの組み合わせが、改善された毛羽立ち除去の利益を提供することが、驚くべきことに見いだされた。
【課題を解決するための手段】
【０００６】
本発明の第１の態様は、液体洗濯洗剤組成物であって、
ａ．液体洗濯洗剤組成物の０．０００１重量％〜０．１重量％のセルラーゼと、
ｂ．液体洗濯洗剤組成物の０．０５重量％〜３重量％の第１のセルロース系ポリマーであって、カチオン変性セルロース系ポリマーである、第１のセルロース系ポリマーと、
ｃ．液体洗濯洗剤組成物の０．０５重量％〜３重量％の第２のセルロース系ポリマーであって、カルボキシメチルセルロース、疎水変性カルボキシメチルセルロース、又はこれらの混合物である、第２のセルロース系ポリマーと、を含む、液体洗濯洗剤組成物である。
【０００７】
本発明の第２の態様は、水溶性フィルムと、本発明の液体洗剤組成物と、を含む、水溶性単位用量物品であって、好ましくは、水溶性単位用量物品が、少なくとも２つの区画を含む、単位用量物品である。
【０００８】
本発明の第３の態様は、洗浄方法であって、本発明に従った液体洗濯洗剤組成物又は水溶性単位用量物品を、十分な水に添加して、液体洗濯洗剤組成物を少なくとも３００倍に希釈して、洗浄液を作り、洗濯される布地を当該洗浄液に接触させるステップを含む、洗浄方法である。
【発明を実施するための形態】
【０００９】
液体洗濯洗剤組成物
本発明は、液体洗濯洗剤組成物を開示する。
【００１０】
「液体洗濯洗剤組成物」という用語は、布地を濡らし、処理することが可能な液体を含む、任意の洗濯洗剤組成物を意味し、限定するものではないが、液体、ゲル、ペースト、分散液などが挙げられる。液体組成物は、好適に細分された形態の固体又は気体を含み得が、液体組成物は、錠剤又は顆粒等の、全体として非流動性である形態を除外する。
【００１１】
液体洗濯洗剤組成物は、布地手洗い操作に使用されてもよく、又は自動洗濯機での布地洗濯操作に使用されてもよい。
【００１２】
液体洗濯洗剤組成物は、洗剤洗濯洗浄組成物の０．０００１重量％〜０．１重量％、好ましくは０．０００２重量％〜０．０５重量％、より好ましくは０．０００３重量％〜０．０１重量％、更により好ましくは０．０００５重量％〜０．００１重量％のセルラーゼを含む。本明細書において、セルラーゼの重量パーセンテージは、活性酵素タンパク質の重量パーセンテージを意味する。セルラーゼは、以下でより詳細に記載される。
【００１３】
液体洗濯洗剤組成物は、液体洗濯洗剤組成物の０．０５重量％〜３重量％、好ましくは０．１重量％〜２重量％、より好ましくは０．２重量％〜１重量％、最も好ましくは０．２５重量％〜０．７５重量％の、第１のセルロース系ポリマーを含み、第１のセルロース系ポリマーは、カチオン変性セルロースである。第１のセルロース系ポリマーは、以下でより詳細に記載される。
【００１４】
液体洗濯洗剤組成物は、液体洗濯洗剤組成物の０．０５重量％〜３重量％、好ましくは０．１重量％〜２重量％、より好ましくは０．２５重量％〜１．５重量％、最も好ましくは、０．５重量％〜１．２５重量％の、第２のセルロース系ポリマーを含み、第２のセルロース系ポリマーは、カルボキシメチルセルロース、疎水変性カルボキシメチルセルロース、又はこれらの混合物である。第２のセルロース系ポリマーは、以下でより詳細に記載される。
【００１５】
液体洗濯洗剤組成物は、増白剤、又は色調染料、又はこれらの混合物を含み得る。
【００１６】
増白剤は、スチルベン増白剤、疎水性増白剤、及びこれらの混合物から選択され得る。増白剤は、増白剤３６、増白剤４９、増白剤１５、又はこれらの混合物、好ましくは増白剤４９を含み得る。
【００１７】
増白剤は、スチルベンを含み得、好ましくは、増白剤３６、増白剤１５、又はこれらの混合物から選択される。他の好適な増白剤は、疎水性増白剤、及び増白剤４９である。光沢剤は、３マイクロメートル（μｍ）〜３０μｍ、又は３μｍ〜２０μｍ、又は３μｍ〜１０μｍの範囲内の重量平均粒径の微粉化微粒子形態でよい。光沢剤は、α又はβ結晶形態でもよい。
【００１８】
好適な光沢剤としては、ジ−スチリルビフェニル化合物（例えばＴｉｎｏｐａｌ（登録商標）ＣＢＳ−Ｘ）、ジ−アミノスチルベンジ−スルホン酸化合物（例えばＴｉｎｏｐａｌ（登録商標）ＤＭＳ  ｐｕｒｅ  Ｘｔｒａ及びＢｌａｎｋｏｐｈｏｒ（登録商標）ＨＲＨ）、並びにピラゾリン化合物（例えばＢｌａｎｋｏｐｈｏｒ（登録商標）ＳＮ）、並びにクマリン化合物（例えばＴｉｎｏｐａｌ（登録商標）ＳＷＮ）が挙げられる。
【００１９】
好ましい光沢剤には、ナトリウム２−（４−スチリル−３−スルフォフェニル）−２Ｈ−ナフトール［１，２−ｄ］トリアゾール、ジナトリウム４，４’−ビス｛［（４−アニリノ−６−（Ｎメチル−Ｎ−２−ヒドロキシエチル）アミノ１，３，５−トリアジン−２−イル）］アミノ｝スチルベン−２−２’ジスルホネート、ジナトリウム４，４’−ビス｛［（４−アニリノ−６−モルホリノ−１，３，５−トリアジン−２−イル）］アミノ｝スチルベン−２−２’ジスルホネート、及びジナトリウム４，４’−ビス（２−スルホスチリル）ビフェニルがある。好適な蛍光光沢剤は、Ｃ．Ｉ．蛍光光沢剤２６０であり、これは、そのβ若しくはα結晶形態で使用しても、又はこれらの形態の混合物で使用してもよい。
【００２０】
色調染料は、ポリマー性染料、又は非ポリマー性染料、顔料、又はこれらの混合物を含み得る。好ましくは、色調染料は、発色団成分とポリマー性成分とを含む、ポリマー性染料を含む。発色団成分は、光に曝露すると、青、赤、スミレ色、紫、又はこれらの組み合わせの範囲の波長の光を吸収することを特徴とする。一態様において、発色団成分は、水及び／又はメタノール中で最大約５２０ナノメートル〜約６４０ナノメートルの吸収スペクトルを示し、他の態様において、水及び／又はメタノール中で約５６０ナノメートル〜約６１０ナノメートルの吸収スペクトルを示す。
【００２１】
任意の好適な発色団を使用することができるが、染料発色団は、好ましくは、ベンゾジフラン、メチン、トリフェニルメタン、ナフタルイミド、ピラゾール、ナフトキノン、アントラキノン、アゾ、オキサジン、アジン、キサンテン、トリフェノジオキサジン、及びフタロシアニンの染料発色団から選択される。モノ及びジアゾ染料発色団が好ましい。
【００２２】
色調染料は、少なくとも３個の連続する繰り返し単位の１つ又は２つ以上に共有結合した発色団を含む染料ポリマーを含み得る。繰り返し単位そのものは、発色団を含む必要がないということも理解されたい。染料ポリマーは、少なくとも５個、少なくとも１０個、又は少なくとも２０個の連続する繰り返し単位を含み得る。
【００２３】
繰り返し単位は、例えば、オキシアルキレンオキシ及びポリオキシアルキレンオキシと組み合わせたフェニルジカルボキシレートのような、有機エステルに由来し得る。繰り返し単位は、アルケン、エポキシド、アジリジン、及び変性セルロースを含む単位を含む炭水化物に由来している可能性があり、変性セルロールとしては、ヒドロキシアルキルセルロース；ヒドロキシプロピルセルロース；ヒドロキシプロピルメチルセルロース；ヒドロキシブチルセルロース；及びヒドロキシブチルメチルセルロース又はこれらの混合物が挙げられる。繰り返し単位は、アルケン若しくはエポキシド、又はこれらの混合物に由来し得る。繰り返し単位は、アルコキシ基とも呼ばれる場合のあるＣ２〜Ｃ４アルキレンオキシ基、好ましくはＣ２〜Ｃ４アルキレンオキシドから得てもよい。繰り返し単位は、Ｃ２〜Ｃ４アルコキシ基、好ましくはエトキシ基から得てもよい。
【００２４】
本発明の目的に関して、少なくとも３つの連続する繰り返し単位が、ポリマー性成分を形成する。ポリマー性成分は、連結基を介して直接又は間接的に、発色団基に共有結合し得る。好適なポリマー性成分の例としては、複数の繰り返し単位を有するポリオキシアルキレン鎖が挙げられる。一態様において、ポリマー成分は、２個〜約３０個の繰り返し単位、２個〜約２０個の繰り返し単位、２個〜約１０個の繰り返し単位、更には約３又は４〜約６個の繰り返し単位を有するポリオキシアルキレン鎖を含む。ポリオキシアルキレン鎖の非限定的な例としては、エチレンオキシド、プロピレンオキシド、グリコールオキシド、ブチレンオキシド、及びこれらの混合物が挙げられる。
【００２５】
液体洗濯洗剤組成物は、１つ以上の更なる酵素を含み得る。当業者は、好適な酵素を認識しているであろう。酵素は、ペルオキシダーゼ、プロテアーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ（malanase）、β−グルカナーゼ、アラビノシダーゼ、ヒアルロニダーゼ、コンドロイチナーゼ、ラッカーゼ、及びアミラーゼ、又はこれらの混合物から選択され得る。
【００２６】
液体洗濯洗剤組成物は、非石鹸アニオン性界面活性剤を含み、好ましくは、線状アルキルベンゼンスルホネート、アルキルサルフェート、アルコキシル化アルキルサルフェート、又はこれらの混合物から選択される非石鹸アニオン性界面活性剤を含み得る。
【００２７】
好ましくは、非石鹸界面活性剤は、アミンで中和されている、好ましくは、モノエタノールアミン、ジエタノールアミン、トリエタノールアミン、又はこれらの混合物から選択されたアミン、より好ましくはモノエタノールアミンで中和されている。
【００２８】
液体洗濯洗剤組成物は、液体洗濯洗剤組成物の５重量％〜３５重量％、好ましくは５重量％〜３０重量％、より好ましくは６重量％〜２５重量％、更により好ましくは６．５重量％〜２０重量％、最も好ましくは６．５重量％〜１５重量％の、アミンで中和されたＣ１２〜１４線状アルキルベンゼンスルホネートを含み得る。
【００２９】
液体洗濯洗剤組成物は、液体洗濯洗剤組成物の５重量％〜３５重量％、好ましくは６重量％〜３０重量％、より好ましくは８重量％〜２５重量％、更により好ましくは１０重量％〜２５重量％、最も好ましくは１２重量％〜２５重量％の、アミンで中和されたＣ１２〜１４線状アルキルベンゼンスルホネートを含む。
【００３０】
本明細書において、「アミンで中和された」とは、アミン系の中和剤を使用して、酸の形態の、線状アルキルベンゼンスルホン酸を、対応する線状アルキルベンゼンスルホン酸塩へと中和することを意味する。好ましいアミンとしては、アルカノールアミン、より好ましくは、モノエタノールアミン、ジエタノールアミン、トリエタノールアミン、又はこれらの混合物から選択されたアルカノールアミン、最も好ましくはモノエタノールアミンが挙げられる。
【００３１】
液体洗濯洗剤組成物は、アルキルサルフェート、アルコキシル化アルキルサルフェート、又はこれらの混合物を含み得る。好ましくは、液体洗濯洗剤組成物は、液体洗濯洗剤組成物の５重量％〜３５重量％、好ましくは５重量％〜２５重量％、より好ましくは５重量％〜２０重量％、最も好ましくは５重量％〜１５重量％の、アルキルサルフェート、アルコキシル化アルキルサルフェート、又はこれらの混合物を含む。
【００３２】
好ましくは、アルキルサルフェート、アルコキシル化アルキルサルフェート、又はこれらの混合物は、アミンで中和されている。好ましくは、アミンは、モノエタノールアミン、ジエタノールアミン、トリエタノールアミン、又はこれらの混合物から選択されたアルコナオールミン（alkonaolmine）、より好ましくはモノエタノールアミンであることが好ましい。
【００３３】
液体洗濯洗剤組成物は、非イオン性界面活性剤を含み得る。好ましくは、非イオン性界面活性剤は、脂肪族アルコールアルコキシレート、オキソ合成脂肪族アルコールアルコキシレート、ゲルベアルコールアルコキシレート、アルキルフェノールアルコールアルコキシレート、又はこれらの混合物から選択される。好ましくは、液体洗濯洗剤組成物は、液体洗濯洗剤組成物の１重量％〜２５重量％、好ましくは１．５重量％〜２０重量％、最も好ましくは２重量％〜１５重量％の、非イオン性界面活性剤を含む。
【００３４】
液体洗濯洗剤組成物は、液体洗剤組成物の、１重量％〜２５重量％、好ましくは１．５重量％〜２０重量％、より好ましくは２重量％〜１５重量％、更により好ましくは３重量％〜１０重量％、最も好ましくは４重量％〜８重量％の、石鹸、好ましくは脂肪酸塩、より好ましくはアミンで中和された脂肪酸塩を含み得る。好ましくは、アミンは、モノエタノールアミン、ジエタノールアミン、トリエタノールアミン、又はこれらの混合物から選択されたアルカノールアミン、最も好ましくはモノエタノールアミンであることが好ましい。
【００３５】
液体洗濯洗剤組成物は、液体洗濯洗剤組成物の１重量％〜３０重量％、好ましくは２重量％〜２０重量％、より好ましくは３重量％〜１５重量％の水を含み得る。
【００３６】
液体洗濯洗剤組成物は、ポリマー、充填剤、移染防止剤、分散剤、酵素安定剤、触媒材料、漂白剤、漂白活性化剤、ポリマー分散剤、再付着防止剤、泡抑制剤、審美的染料、乳白剤、香料、香料送達系、構造化剤、ヒドロトロープ、加工助剤、顔料、及びこれらの混合物から選択される、補助成分を含み得る。
【００３７】
理論に束縛されるものではないが、セルラーゼ、第１のセルロース系ポリマー、及び第２のセルロース系ポリマーは、相乗的に作用して、改善された毛羽立ち防止の利益を提供すると考えられる。これは、第１のセルロース系ポリマーが、カチオン的に帯電し、第２のセルロース系ポリマーが、一般にアニオン的に帯電することを考慮すれば、より驚くべきことである。したがって、当業者は、これらの２つのポリマーが相互作用し、利益を提供することなく溶液から簡単に凝集すると予想するであろう。更に、当業者は、第１及び第２のセルロース系ポリマーが、セルラーゼの基板となり、したがって、いかなる種類の相乗的な利益も見られないと予想し得る。
【００３８】
セルラーゼ
液体洗濯洗剤組成物は、洗剤洗濯洗浄組成物の０．０００１重量％〜０．１重量％、好ましくは０．０００２重量％〜０．０５重量％、より好ましくは０．０００３重量％〜０．０１重量％、更により好ましくは０．０００５重量％〜０．００１重量％のセルラーゼを含む。
【００３９】
好ましくは、セルラーゼは、エンド−ベータ−１，４−グルカナーゼ活性（Ｅ．Ｃ．３．２．１．４）を呈する、真菌又は微生物由来のエンドグルカナーゼ又はこれらの混合物を含む。好ましいセルラーゼとしては、米国特許第７，１４１，４０３（Ｂ２）号におけるアミノ酸配列の配列番号２と少なくとも９０％、９４％、９７％、更には９９％の同一性の配列を有するＢａｃｉｌｌｕｓ属のメンバーに対して内因性である細菌性ポリペプチドが挙げられる。好適なエンドグルカナーゼは、Ｃｅｌｌｕｃｌｅａｎ（登録商標）、Ｃａｒｅｚｙｍｅ（登録商標）、Ｃｅｌｌｕｚｙｍｅ（登録商標）、Ｃａｒｅｚｙｍｅ  Ｐｒｅｍｉｕｍ（登録商標）、及びＷｈｉｔｅｚｙｍｅ（登録商標）（Ｎｏｖｏｚｙｍｅｓ  Ａ／Ｓ，（Ｂａｇｓｖａｅｒｄ，Ｄｅｎｍａｒｋ））の商品名で販売されている。
【００４０】
好適なセルラーゼとしては、セルラーゼ活性を示すグリコシルヒドロラーゼの任意のファミリーからの、細菌又は真菌起源の、エンド−ベータ−１，４−グルカナーゼ、セロビオヒドロラーゼ、及びベータ−１，４−グルコシダーゼが挙げられる。化学的に修飾された又はタンパク質操作された突然変異体が含まれる。好適なセルラーゼとしては、Ｂａｃｉｌｌｕｓ属、Ｐｓｅｕｄｏｍｏｎａｓ属、Ｈｕｍｉｃｏｌａ属、Ｆｕｓａｒｉｕｍ属、Ｔｈｉｅｌａｖｉａ属、Ａｃｒｅｍｏｎｉｕｍ属からのセルラーゼ、例えば、Ｈｕｍｉｃｏｌａ  ｉｎｓｏｌｅｎｓ、Ｍｙｃｅｌｉｏｐｈｔｈｏｒａ  ｔｈｅｒｍｏｐｈｉｌａ及びＦｕｓａｒｉｕｍ  ｏｘｙｓｐｏｒｕｍから生成された真菌性セルラーゼが挙げられる。
【００４１】
セルラーゼは、１７ｋＤａ〜３０ｋＤａの分子量を有する、グリコシルヒドロラーゼのファミリー４５に属する洗浄セルラーゼ、例えば、Ｂｉｏｔｏｕｃｈ（登録商標）ＮＣＤ、ＤＣＣ、及びＤＣＬ（ＡＢ  Ｅｎｚｙｍｅｓ（Ｄａｒｍｓｔａｄｔ，Ｇｅｒｍａｎｙ））の商品名で販売されているエンドグルカナーゼを含み得る。
【００４２】
第１のセルロース系ポリマー
液体洗濯洗剤組成物は、液体洗濯洗剤組成物の０．０５重量％〜３重量％、好ましくは０．１重量％〜２重量％、より好ましくは０．２重量％〜１重量％、最も好ましくは０．２５重量％〜０．７５重量％の、第１のセルロース系ポリマーを含み、第１のセルロース系ポリマーは、カチオン変性セルロース系ポリマーである。
【００４３】
第１のセルロース系ポリマーは、１００，０００〜８００，０００ダルトンの分子量を有し得る。
【００４４】
当業者は、従来の化学技術を使用して、第１のセルロース系ポリマーを作製する方法を認識しているであろう。
【００４５】
好ましくは、第１のセルロースポリマーは、カチオン変性ヒドロキシエチルセルロース、カチオン変性ヒドロキシプロピルセルロース、カチオン及び疎水変性ヒドロキシエチルセルロース、カチオン及び疎水変性ヒドロキシプロピルセルロース、又はこれらの混合物、より好ましくはカチオン変性ヒドロキシエチルセルロース、カチオン及び疎水変性ヒドロキシエチルセルロース、又はこれらの混合物から選択される。
【００４６】
本明細書において、「疎水変性」とは、１つ以上の疎水性基がポリマーに結合していることを意味する。本明細書において、「カチオン変性」とは、１つ以上のカチオン的に帯電した基がポリマーに結合していることを意味する。
【００４７】
好ましくは、カチオン変性ヒドロキシエチルセルロースは、トリメチルアンモニウム置換エポキシドで誘導されたヒドロキシエチルセルロースである。
【００４８】
第１のポリマーは、いくつかの異なる分子量に合成することができ、かついくつかの異なる分子量において市販されている。生成物からの最適な柔軟化性能を達成するために、本発明で使用されるカチオン性ポリマーは、適切な分子量であることが望ましい。理論的に束縛されるものではないが、質量の高すぎるポリマーは、汚れを捕捉し、汚れが除去されるのを防止する、と考えられる。平均分子量１，２５０，０００ダルトン未満の、又は平均分子量８５０，０００ダルトン未満のカチオン性ポリマー、及び特に平均分子量５００，０００ダルトン未満のものの使用は、適切に配合された生成物の柔軟化性能を著しく低下させることなく、この効果を最小限にすることを助ける。一方、分子量約１０，０００ダルトン以下のポリマーは、効果的な柔軟化の利益を与えるには小さすぎると考えられる。したがって、好ましくは、本発明に従ったカチオン性ポリマーは、約１０，０００ダルトン〜約１，２５０，０００ダルトン、好ましくは約３０，０００ダルトン〜約８５０，０００ダルトン、より好ましくは約５０，０００ダルトン〜約７５０，０００ダルトン、更により好ましくは約１００，０００ダルトン〜約６００，０００ダルトン、最も好ましくは約２００，０００ダルトン〜約５００，０００ダルトンの分子量を有する。
【００４９】
本発明に従ったカチオン性ポリマーはまた、洗濯組成物の意図された使用のｐＨで、約０．１ｍｅｑ／ｇ〜約５ｍｅｑ／ｇ、好ましくは約０．１２ｍｅｑ／ｇ〜約４ｍｅｑ／ｇ、より好ましくは約０．１４ｍｅｑ／ｇ〜約２．５ｍｅｑ／ｇ、更により好ましくは約０．１６ｍｅｑ／ｇ〜約１．５ｍｅｑ／ｇ、最も好ましくは約０．１８ｍｅｑ／ｇ〜約０．７ｍｅｑ／ｇの範囲のカチオン電荷密度を有し得る。本明細書で使用するとき、カチオン性ポリマーの「電荷密度」は、ポリマー１グラム原子量（分子量）当たりのカチオン部位の数として定義され、カチオン電荷のｍｅｑ／グラムに換算して表すことができる。一般に、アミンの場合の液体洗濯配合物のｐＨに応じた、ポリマー中のアミン又は第四級アンモニウム部分の割合の調整は、電化密度に影響を及ぼす。理論に束縛されることを意図しないが、電荷密度が高すぎるカチオン性ポリマーは、配合物中のアニオン性化合物で析出するには敏感すぎると考えられ、一方で電荷密度が低すぎるカチオン性ポリマーは、布地への親和性が低すぎ、したがって、柔軟性を損なうと考えられる。任意のアニオン性の対イオンを、カチオン性ポリマーと会合させて使用することができる。かかる対イオンの非限定的な例としては、ハロゲン化物（例えば、塩素、フッ素、臭素、ヨウ素）、サルフェート、及びメチルサルフェート、好ましくは、ハロゲン化物、より好ましくは塩素が挙げられる。
【００５０】
本発明に従ったカチオン性ポリマーは、「疎水変性」され得る。本明細書において、１つ以上の疎水性基がポリマーに結合していることを意味する。理論に束縛されることを意図しないが、疎水変性は、布地に対するポリマーの親和性を増加させることができると考えられる。限定されることを意図しないが、１つ以上の疎水性基は、Ｃ１〜Ｃ３２、好ましくはＣ５〜Ｃ３２アルキル、Ｃ１〜Ｃ３２、好ましくはＣ５〜Ｃ３２置換アルキル、Ｃ５〜Ｃ３２アルキルアリール、又はＣ５〜Ｃ３２置換アルキルアリール、（ポリ）アルコキシＣ１〜Ｃ３２、好ましくはＣ５〜Ｃ３２アルキル、又は（ポリ）アルコキシ置換Ｃ１〜Ｃ３２、好ましくはＣ５〜Ｃ３２アルキル、又はこれらの混合物から独立して選択され得る。ポリマー上、好ましくは無水グルコース環上、又は代替的にカチオン性ポリマーのカチオン置換の窒素上の疎水置換は、ポリマー材料の、グルコース単位当たり約０．０１％〜５％、より好ましくはグルコース単位当たり約０．０５％〜２％の範囲であり得る。
【００５１】
当業者は、従来の化学技術を使用して、第１のポリマーを作製する方法を認識しているであろう。第１のカチオン性セルロース系ポリマーは、グリオキサル等のジアルデヒドと軽度に架橋されて、周囲温度で水に添加されると、こぶ、小塊、又は他の凝集物が形成されることを防止し得る。
【００５２】
本発明に従った第１のポリマーとしては、市販のものが挙げられ、市販の材料の従来の化学修飾によって調製することができる材料が更に挙げられる。本発明に従った市販のカチオン性セルロース系ポリマーとしては、商品名Ｕｃａｒｅ  Ｐｏｌｙｍｅｒ  ＪＲ  ３０Ｍ、ＪＲ  ４００、ＪＲ  １２５、ＬＲ  ４００及びＬＫ  ４００ポリマーとして販売されているもの等のＩＮＣＩ名Ｐｏｌｙｑｕａｔｅｒｎｉｕｍ  １０を有するもの；全てＡｍｅｒｃｈｏｌ  Ｃｏｒｐｏｒａｔｉｏｎ（Ｅｄｇｅｗａｔｅｒ  ＮＪ）によって市販の商品名Ｓｏｆｔｃａｔ  ＳＫ（商標）として販売されているもの等のＰｏｌｙｑｕａｔｅｒｎｉｕｍ  ６７；並びにＮａｔｉｏｎａｌ  Ｓｔａｒｃｈ  ａｎｄ  Ｃｈｅｍｉｃａｌ  Ｃｏｍｐａｎｙ，（Ｂｒｉｄｇｅｗａｔｅｒ，ＮＪ）から市販の商品名Ｃｅｌｑｕａｔ  Ｈ２００及びＣｅｌｑｕａｔ  Ｌ−２００として販売されているもの等のＰｏｌｑｕａｔｅｒｎｉｕｍ  ４が挙げられる。他の好適な多糖としては、グリシジルＣ１２〜Ｃ２２アルキルジメチルアンモニウムクロリドで四級化されたヒドロキシエチルセルロース又はヒドロキシプロピルセルロースが挙げられる。かかる多糖の例としては、Ａｍｅｒｃｈｏｌ  Ｃｏｒｐｏｒａｔｉｏｎ（Ｅｄｇｅｗａｔｅｒ  ＮＪ）によって商品名Ｑｕａｔｅｒｎｉｕｍ  ＬＭ  ２００として販売されているもの等の、ＩＮＣＩ名Ｐｏｌｙｑｕａｔｅｒｎｉｕｍ  ２４を有するポリマーが挙げられる。
【００５３】
第２のセルロース系ポリマー
液体洗濯洗剤組成物は、液体洗濯洗剤組成物の０．０５重量％〜３重量％、好ましくは０．１重量％〜２重量％、より好ましくは０．２５重量％〜１．５重量％、最も好ましくは、０．５重量％〜１．２５重量％の、第２のセルロース系ポリマーを含み、好ましくは第２のセルロース系ポリマーが、カルボキシメチルセルロース、疎水変性カルボキシメチルセルロース、又はこれらの混合物から選択される。
【００５４】
本明細書で使用される場合、「セルロース」という用語は、天然セルロース及び合成セルロースを含む。セルロースは、植物から抽出されるか、又は微生物によって生成されてもよい。
【００５５】
好適なカルボキシメチルセルロースは、下記式に従った構造を有する。
【００５６】
【化１】
2019526667.tif 000002
【００５７】
セルロースは、繰り返し単位当たり置換可能な３つの基（Ｒ）を有する。カルボキシメチルセルロースとしては、各Ｒ基は、Ｒｂを含むセルロースの繰り返し単位当たりのＲ基の平均数として定義される、「置換度」を有するＲａ又はＲｂのいずれかを含むであろう。カルボキシメチルセルロースの場合、全てのＲ基がＲａであるわけではないことは明らかである。Ｒｂ部分は、カルボキシメチル置換基である。カルボキシメチルセルロースは、０．３〜０．９、好ましくは０．４〜好ましくは０．８の平均カルボキシメチル置換度を有する。
【００５８】
カルボキシメチルセルロースとしては、次の構造に従った疎水性部分で更に置換されて、疎水変性カルボキシメチルセルロースを与えることが好ましい場合があり、
【００５９】
【化２】
2019526667.tif 000003
式中、各Ｒ基は、Ｒａ、Ｒｂ、Ｒｃ、又はＲｄのいずれかを含み、Ｒ１及びＲ２は、５〜２２個の炭素原子を有するアルキル又はアルケニル鎖から独立して選択される。Ｒｂ部分は、カルボキシメチル置換基である。疎水変性カルボキシメチルセルロースについては、少なくとも１つのＲｂ基が存在することは明らかである。Ｒｃ及びＲｄ部分は、疎水性置換基の可能な例である。代替的な疎水性置換基は、当業者によって認識されているであろう。「カルボキシメチル置換度」は、Ｒｂを含むセルロースの繰り返し単位当たりのＲ基の平均数として定義される。カルボキシメチルセルロースは、０．３〜０．９、好ましくは０．４〜好ましくは０．８の平均カルボキシメチル置換度を有する。「疎水性部分置換度」は、Ｒｃ及び／又はＲｄを含むセルロースの繰り返し単位当たりのＲ基の平均合計数として定義される。好ましくは、疎水性部分置換度の平均は、０．００１〜０．２の範囲である。
【００６０】
好ましくは、カルボキシメチルセルロースは、１０，０００Ｄａ〜３００，０００Ｄａ、好ましくは５０，０００Ｄａ〜２５０，０００Ｄａ、最も好ましくは１００，０００Ｄａ〜２００，０００Ｄａの分子量を有する。
【００６１】
カルボキシメチルセルロースの溶解性能を更に改善するために、典型的には、二峰性の分子量分布が達成されるような様式で、使用されるカルボキシメチルセルロースがより小さい分子量とより大きい分子量との組み合わせであることが好ましい場合がある。好ましくは、カルボキシメチルセルロースは、二峰性の分子量分布を有し、第１の分子量最頻が、１０，０００Ｄａ〜１００，０００Ｄａ未満の範囲にピークを有し、第２の分子量最頻が、１００，０００Ｄａ〜３００，０００Ｄａの範囲にピークを有する。好ましくは、第１の分子量最頻は、２０，０００Ｄａ、又は３０，０００Ｄａ〜好ましくは９０，０００Ｄａ、又は８０，０００Ｄａ、又は７０，０００Ｄａの範囲にピークを有する。好ましくは、第２の第２の分子量最頻は、１２０，０００Ｄａ、又は１５０，０００Ｄａ〜好ましくは２５０，０００Ｄａ、又は２００，０００Ｄａの範囲にピークを有する。
【００６２】
カルボキシメチルセルロースが、ＤＳ＋ＤＢの合計が、少なくとも１．００、好ましくは少なくとも１．０５、又は少なくとも１．１０、又は少なくとも１．１５、又は少なくとも１．２０、又は少なくとも１．２５、又は少なくとも１．３０、又は少なくとも１．３５、又は少なくとも１．４０、又は少なくとも１．４５、又は少なくとも１．５０であるように、０．０１〜０．９９の範囲の置換度（ＤＳ）と、ブロック度（ＤＢ）と、を有することもまた、好ましい場合がある。
【００６３】
好ましくは、カルボキシメチルセルロースは、ＤＢ＋２ＤＳ−ＤＳ２の合計が、少なくとも１．２０、又は少なくとも１．２５、又は少なくとも１．３０、又は少なくとも１．３５、又は少なくとも１．４０、又は少なくとも１．４５、又は少なくとも１．５０であるように、０．０１〜０．９９の範囲の置換度（ＤＳ）と、ブロック度（ＤＢ）と、を有する。
【００６４】
好ましくは、カルボキシメチルセルロースは、ＤＳ＋ＤＢが少なくとも１．００及び／又はＤＢ＋２ＤＳ−ＤＳ２が少なくとも１．２０のいずれかであるように、０．０１〜０．９９の置換度（ＤＳ）と、ブロック度（ＤＢ）と、を有する、疎水変性カルボキシメチルセルロースである。
【００６５】
カルボキシメチルセルロース（ＣＭＣ）の置換度（ＤＳ）を決定するための典型的な方法は、より詳細に以下に記載する。カルボキシメチルセルロース（ＣＭＣ）のブロック度（ＤＢ）を決定するための典型的な方法は、より詳細に以下に記載する。
【００６６】
カルボキシメチルセルロースを生成する方法は、当該技術分野において十分に説明されている。
【００６７】
疎水変性カルボキシメチルセルロースを生成するための様々な方法が、当該技術分野において開示されている。
【００６８】
カルボキシメチルセルロースポリマーとしては、Ｆｉｎｎｆｉｘ  ＧＤＡ（ＣＰ  Ｋｅｌｃｏによって販売）、例えば、商品名Ｆｉｎｎｆｉｘ  ＳＨ１（ＣＰ  Ｋｅｌｃｏ）として販売されているカルボキシメチルセルロースのアルキルケテン二量体誘導体、又は商品名Ｆｉｎｎｆｉｘ  Ｖ（ＣＰ  Ｋｅｌｃｏによって販売）として販売されているブロック系カルボキシメチルセルロース等の、疎水変性カルボキシメチルセルロースが挙げられる。
【００６９】
カルボキシメチルセルロース（ＣＭＣ）のカルボキシメチル置換度（ＤＳ）を決定する方法：全ての有機材料を除去するために、ＣＭＣを強熱して、高温（６５０℃）で４５分間炭化することによってＤＳを決定した。残存した無機灰を、蒸留水に溶解し、メチル赤色を添加した。溶液がピンクになるまで、試料を０．１Ｍの塩酸で滴定した。以下の式を使用して、滴定した酸の量（ｂ  ｍｌ）及びＣＭＣ（Ｇ  ｇ）の量からＤＳを算出した。
ＤＳ＝０．１６２＊｛（０．１＊ｂ／Ｇ）／［１−（０．０８＊０．１＊（ｂ／Ｇ））｝
【００７０】
代替的に、置換セルロースのＤＳは、電気伝導度測定又は１３Ｃ  ＮＭＲによって測定してもよい。
【００７１】
カルボキシメチルセルロース（ＣＭＣ）のブロック度（ＤＢ）を決定する方法：置換セルロースの場合、ＤＢは、特定の市販のエンドグルカナーゼ酵素（Ｅｃｏｎａｓｅ  ＣＥ、ＡＢ  Ｅｎｚｙｍｅｓ（Ｄａｒｍｓｔａｄｔ，Ｇｅｒｍａｎｙ））で酵素加水分解後に放出された非置換グルコース単位の量（Ａ）を、酸加水分解後に放出される非置換グルコース単位の合計量（Ａ＋Ｂ）で除算したものに相当し得る。酵素活性は、別の非置換グルコース単位に直接隣接しているポリマー鎖中の非置換グルコース単位に対して特異的である。
【００７２】
酵素分解は、ｐＨ４．８、５０℃で３日間の間、バッファ中の酵素（Ｅｃｏｎａｓｅ  ＣＥ）を使用して実施する。２５ｍＬの置換セルロース試料には、酵素２５０ｍＬが使用されている。分解は、試料を９０℃に加熱し、１５分間の間熱く保持することによって停止する。置換パターン及びブロック性の両方についての酸加水分解は、過塩素酸（室温の７０％  ＨＣｌＯ４中で１５分及び１２０℃の６．４％  ＨＣｌＯ４中で３時間）で行う。試料は、パルス電流検出（ＰＡＤ検出器：ＢｉｏＬＣ５０（Ｄｉｏｎｅｘ（Ｓｕｎｎｙｖａｌｅ，Ｃａｌｉｆｏｒｎｉａ，ＵＳＡ）））を備えたアニオン交換クロマトグラフィを使用して分析する。ＨＰＡＥＣ／ＰＡＤシステムは、１３Ｃ  ＮＭＲによって較正する。酢酸ナトリウムを（３０分分の間に酢酸ナトリウムを０〜１Ｍに）増加させながら、溶出液として１００ｍＭのＮａＯＨを使用して、ＰＡ−１分析カラム上で０．２ｍｌ／分の流量を使用して、３５℃で単糖を分離する。各試料を３〜５回分析し、平均を計算する。少なくとも１つの置換グルコースに直接連結された非置換グルコースの数（Ａ）と、置換グルコースに直接連結されていない非置換グルコースの数（Ｂ）とを推定し、置換セルロース試料のＤＢを計算する（ＤＢ＝Ｂ／（Ａ＋Ｂ））。
【００７３】
疎水変性カルボキシメチルセルロース（ＣＭＣ）の疎水性部分の置換度を決定する方法：疎水性部分の置換度を、ＦＴ−ＩＲ分光法を使用して決定する。
【００７４】
使用
本発明の更なる態様は、本発明に従った液体洗濯洗剤組成物を使用して、布地の柔軟性及び改善された布地の白色度の利益を提供する。
【００７５】
水溶性単位用量物品
本発明の更なる態様は、水溶性フィルムと、本発明に従った液体洗剤組成物と、を含む、水溶性単位用量物品である。好ましくは、水溶性単位用量物品は、少なくとも２つの区画を含む。
【００７６】
水溶性単位用量物品は、単位用量物品が水溶性フィルムによって取り囲まれた少なくとも１つの内部区画を含むような形状の、少なくとも１つの水溶性フィルムを含む。少なくとも１つの区画は、液体洗濯洗剤組成物を含む。水溶性フィルムは、保管中に液体洗濯洗剤組成物が区画から漏れ出さないように封止される。しかしながら、水溶性単位用量物品を水に添加する際、水溶性フィルムが溶解して、内部区画の内容物が洗浄液中に放出される。
【００７７】
区画は、組成物を保持する、単位用量物品内の閉じた内部空間を意味すると理解されるべきである。好ましくは、単位用量物品は、水溶性フィルムを含む。単位用量物品は、水溶性フィルムが組成物を完全に取り囲み、それによって組成物の入っている区画が画定されるように製造される。単位用量物品は、２枚のフィルムを含み得る。第１のフィルムは、組成物が添加される開口区画を含むような形状であり得る。次いで、第２のフィルムは、区画の開口部を閉じる配向で、第１のフィルムを覆う。次いで、第１及び第２のフィルムは、封止領域に沿って共に封止される。フィルムについて、以下でより詳細に記載する。
【００７８】
単位用量物品は、２つ以上の区画、更には少なくとも２つの区画、又は更には少なくとも３つの区画を含んでよい。区画は、重ね合わせる配向で、即ち、一方が他方の上に位置するように配置されてよい。代替的に、区画は、平行した配向で、即ち、一方が他方に隣接する配向で位置してよい。区画は、更に「タイヤ及びリム」配置での配向であってよく、即ち、第１の区画は、第２の区画に隣接して位置するが、第１の区画は、第２の区画を少なくとも部分的に取り囲が、第２の区画を完全には囲まない。代替的に、１つの区画が別の区画内に完全に囲まれてもよい。
【００７９】
本発明のフィルムは、水溶性又は水分散性である。好ましくは、水溶性フィルムの厚さは、２０μｍ〜１５０μｍ、好ましくは３５μｍ〜１２５μｍ、更により好ましくは５０μｍ〜１１０μｍ、最も好ましくは約７６μｍである。
【００８０】
好ましくは、最大孔径が２０μｍのガラスフィルタの使用後に、本明細書に記載の方法によって測定したフィルムの水溶性は、少なくとも５０％、好ましくは少なくとも７５％、又は更には少なくとも９５％である。
予め秤量した３Ｌのビーカーに、５グラム±０．１グラムのフィルム材料を添加し、２Ｌ±５ｍＬの蒸留水を添加する。これを、６００ｒｐｍに設定した磁気撹拌器（Ｌａｂｌｉｎｅモデル番号１２５０又は等価物、及び５ｃｍの磁気撹拌器）で、３０℃で３０分間にわたり激しく撹拌する。次いで、混合物を、上記で定義した孔径（最大２０μｍ）の折り畳んだ定性分析用焼結ガラス濾過器により濾過する。任意の従来の方法によって、回収した濾液から水を乾燥させ、残った材料の重量を求める（これが溶解画分又は分散画分である）。次いで、溶解度又は分散性の百分率を計算することができる。
【００８１】
好ましいフィルム材料は、好ましくはポリマー材料である。フィルム材料を、当該技術分野において公知の、例えば、ポリマー材料の注型成形、吹込成形、押出成形又は吹込押出成形によって得ることができる。
【００８２】
パウチ材料として使用するのに好適な好ましいポリマー、コポリマー、又はそれらの誘導体は、ポリビニルアルコール、ポリビニルピロリドン、ポリアルキレンオキサイド、アクリルアミド、アクリル酸、セルロース、セルロースエーテル、セルロースエステル、セルロースアミド、ポリビニルアセテート、ポリカルボン酸及び塩、ポリアミノ酸又はペプチド、ポリアミド、ポリアクリルアミド、マレイン酸／アクリル酸のコポリマー、デンプン及びゼラチンを含む多糖類、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えば、ＰＶＡポリマーの濃度は、少なくとも６０％である。ポリマーは、任意の重量平均分子量を有してもよく、好ましくは、約１０００〜１，０００，０００、より好ましくは、約１０，０００〜３００，０００、更により好ましくは、約２０，０００〜１５０，０００である。
【００８３】
また、ポリマーの混合物をパウチ材料として使用してもよい。
【００８４】
好ましいフィルムは、冷水、すなわち、加熱されていない蒸留水中で良好な溶解を呈するものである。好ましくは、そのようなフィルムは、２４℃の温度で、更により好ましくは１０℃で良好な溶解を呈する。良好な溶解とは、上述の最大孔径が２０μｍのガラスフィルタの使用後に、本明細書に記載の方法により測定したフィルムの呈する水溶性が、少なくとも５０％、好ましくは少なくとも７５％、又は更には少なくとも９５％であることを意味する。
【００８５】
好ましいフィルムには、Ｍｏｎｏｓｏｌによって商品参照番号Ｍ８６３０、Ｍ８９００、Ｍ８７７９、Ｍ８３１０として供給されているものがある。
【００８６】
フィルムは、不透明、透明、又は半透明であってもよい。フィルムは、プリントされた領域を含んでもよい。
【００８７】
印刷領域は、フレキソ印刷又はインクジェット印刷などの標準的な技術を使用して得ることができる。
【００８８】
フィルムは、嫌悪剤、例えば苦味剤を含んでもよい。好適な苦味剤としては、ナリンギン、サッカロースオクタアセテート、塩酸キニーネ、デナトニウムベンゾエート、又はこれらの混合物が挙げられるが、これらに限定されない。任意の好適な濃度の嫌悪剤をフィルムに使用してよい。好適な濃度としては、１〜５０００ｐｐｍ、又は更には１００〜２５００ｐｐｍ、又は更には２５０〜２０００ｒｐｍが挙げられるが、これらに限定されない。
【００８９】
水溶性単位用量物品は、第１の区画が第１のセルロース系ポリマー及び第２のセルロース系ポリマーを含む第１の区画と、第２の区画がセルラーゼを含む第２の区画と、を含み得る。
【００９０】
洗浄方法
本発明の更なる態様は、本発明に従った液体洗剤組成物又は水溶性単位用量物品を十分な水に添加して、液体洗濯洗剤組成物を少なくとも３００倍に希釈して、洗浄液を作り、洗濯される布地を当該洗浄液に接触させるステップを含む、洗浄方法である。
【００９１】
洗浄液は、自動洗濯機のドラム中で作られてもよい。代替的に、洗浄液は、手洗い作業中に作られてもよい。
【００９２】
作製方法
本発明の液体洗濯洗剤組成物は、当該技術分野において既知の任意の好適な製造技術を使用して作製され得る。当業者であれば、本発明による組成物を作製するのに適切な方法及び機器を既知であろう。
【実施例】
【００９３】
毛羽立ち除去／繊維若返り特性の提供における、本発明に従った組成物の効果を実証するために、布地若返り試験を行った。
【００９４】
試験生成物：
次の参照組成物を調製した。
【００９５】
【表１】
2019526667.tif 000004
【００９６】
次のプレミックス組成物を調製した。
【００９７】
【表２】
2019526667.tif 000005
【００９８】
次の試験生成物を調製した。
・Ａ：参照組成物：２５．１ｇを洗濯機のドラムに添加した。
・Ｂ：参照組成物（２５．１ｇ）、及び０．３４ｇで添加したプレミックスを介して送達したカチオン変性ヒドロキシエチルセルロース、及び０．０１５ｐｐｍの活性を送達する１５マイクロリットルのセルラーゼを、各々、洗濯機のドラムに直接添加した。
・Ｃ：参照組成物（２５．１ｇ）、及び０．０１５ｐｐｍの活性を送達する１５マイクロリットルのセルラーゼ、及び粉末材料を介して送達したカルボキシメチルセルロース０．２５ｇを、各々、洗濯機のドラムに直接添加した。
・Ｄ：参照組成物２５．１ｇ、及び０．０１５ｐｐｍの活性を送達する１５マイクロリットルのセルラーゼ、及び０．３４ｇで添加したプレミックスを介して送達したカチオン変性ヒドロキシエチルセルロースを、各々、洗濯機のドラムに直接添加した。
【００９９】
試験方法
１２枚の白い綿の布地トレーサ（ｅｘ  ｗｆｋ  Ｔｅｓｔｇｅｗｅｂｅ  ＧｍｂＨ（Ｃｈｒｉｓｔｅｎｆｅｌｄ  １０．Ｄ−４１３７９  Ｂｒｕｇｇｅｎ−Ｂｒａｃｈｔ  Ｇｅｒｍａｎｙ）より入手）を事前に毛羽立て、２ｋｇの黒いテリータオルのバラスト（黒い１００％綿テリータオルの一部のタオル）と共に洗浄することによって、転染に曝露した。Ｍｉｅｌｅの機械（モデル１７１４）で、綿用の短いサイクル、４０℃、水道水（７．８ｇｐｇ）、合計洗浄時間１時間２５分を５回の洗浄サイクルを選択した。布地を取り出し、２０ｃ／５５％  ＲＨの乾燥室に一晩放置し、次いで翌日試験に使用した。毛羽立ち除去／色の若返り試験のために、ＷＨ５６５プログラム可能な洗濯機（プログラムの詳細は以下に記述）で、クイック洗浄サイクルを選択し、４０ｃ、１７枚の白糸１００％綿編地、及び１２枚の青糸の綿５０／ポリエステル５０のブレンドの編布地（Ｃａｌｄｅｒｏｎ  Ｔｅｘｔｉｌｅｓより入手）（Ｃａｌｄｅｒｏｎ  Ｔｅｘｔｉｌｅｓより入手、組成は下表）からなるバラスト３．８ｋｇ中水道水（７．８ｇｐｇ）２．８ｋｇを使用し、関連組成物Ａ〜Ｄを含む洗浄液で５回の洗浄サイクルを行った。理論に束縛されるものではないが、布地の測定された白色度は、毛羽立ち除去の測定として使用することができる。毛羽中のもつれた繊維は、毛羽が暗く見え、全体的な光の反射率を低減するので、入射光／反射光を散乱し拡散するため、全体的なＬ＊ａ＊ｂ＊値を低下させる。
【０１００】
プログラム洗濯機モデルＷＨ５６５；
１６Ｌ予備洗浄２．５分３０℃に加熱５分
主洗浄２０分排水１分
１０００ｒｐｍスピン２．５分１６Ｌすすぎ８分
排水１分１０００ｒｐｍ１分
１６Ｌすすぎ８分排水１分
１２００ｒｐｍスピン２分合計５２．５分
【０１０１】
【表３】
2019526667.tif 000006
【０１０２】
布地トレーサを、乾燥室（２０ｃ／５５％  ＲＨ）に一晩放置して乾燥し、Ｐｏｌａｒｉｓ  Ｗｈｉｔｅ  Ｓｔａｒ  ｓｏｆｔｗａｒｅ（ｅｘ  Ａｘｉｐｈｏｓ  ＧｍｂＨ（Ａｒｅｎｄ−Ｂｒａｙｅ  Ｓｔｒ．４２，Ｄ−７９５４０  Ｌｏｅｒｒａｃｈ，Ｇｅｒｍａｎｙ））と組み合わせると、３６０〜７４０ｎｍの範囲の反射率データの抽出が可能な、卓上分光光度計Ｋｏｎｉｃａ−ＭｉｎｏｌｔａモデルＣＭ−３６３０を使用して分析した。カチオン変性ヒドロキシエチルセルロース及びセルラーゼの全体的な白色度維持における効果を決定するために、ＣＩＥＬ＊ａ＊ｂ＊を使用した（ＣＩＥＬＡＢの３つの座標は、色の明度（Ｌ＊＝０の収量は黒、及びＬ＊＝１００は、拡散の白（diffuse white）を示し、鏡面の白（specular white）はより高い場合がある））、赤／マゼンタと緑との間のその位置（ａ＊、負の値は緑を示し、正の値はマゼンタを示す）、黄色と青色との間のその位置（ｂ＊、負の値は青色を示し、正の値は黄色を示す）を表し、これは関連する試験生成物における、洗浄の前に事前に毛羽立たせた／染色した布地に対する色の差異を計算するために使用した。
【０１０３】
【表４】
2019526667.tif 000007
【０１０４】
Ｌ  ａ  ｂ＊の結果は、カチオン変性ヒドロキシエチルセルロースとカルボキシメチルセルロースとの組み合わせが、セルラーゼと組み合さられた個々の材料単独次いで、より大きな組み合さられた利益を提供するため、セルラーゼの有効性の増強を提供することを示している。（試験生成物ＢデルタＥ＋１．０１対Ａ、＋１．３８試験生成物Ｃ対Ａ、及び＋２．５４試験生成物Ｄ対Ａ）。したがって、第１のポリマー、第２のポリマー、及びセルラーゼの組み合わせが、改善された毛羽立ち除去の利益を提供すると結論付けられる。
【０１０５】
本明細書で開示する寸法及び値は、列挙された正確な数値に厳密に限られるものとして理解されるべきではない。むしろ、特に指示がない限り、そのような寸法のそれぞれは、記載された値及びその値の周辺の機能的に同等の範囲の両方を意味するものとする。例えば、「４０ｍｍ」として開示される寸法は、「約４０ｍｍ」を意味することが意図される。
【国際調査報告】
2019526667.tif 000008
2019526667.tif 000009
2019526667.tif 000010
2019526667.tif 000011